(57)【要約】【課題】  本発明は、防塵性を高めて、面光源装置の品質と輝度値をの低下を防止することを目的とする。【解決手段】  少なくとも、光入射面と、該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には保護フィルムと一体化した防塵部材を設けた面光源装置とする。【選択図】  図１
2006228523.tif 000002
【特許請求の範囲】
【請求項１】
液晶表示装置の背面に配置され、面状の光を発光する面光源装置（バックライト）において、前記面光源装置の開口部発光エリアを保護するフィルム（セパレータ）と一体となった枠状の防塵部材を設けたことを特徴とする面光源装置。
【請求項２】
液晶表示装置の背面に配置される面状の光を発光する面光源装置であって、該面状光源装置は、少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には、一端を保護フィルムと一体化し他端を前記シャーシに貼着する防塵部材を設けたことを特徴とする面光源装置。
【請求項３】
少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には一端を保護フィルムと一体化し、他端を前記シャーシに貼着する防塵部材を設けた面光源装置を用いるか、前記保護フィルを剥離した防塵部材面を液晶表示装置に貼着したことを特徴とする液晶表示装置。
【発明の詳細な説明】
【技術分野】
【０００１】
本発明は、特に防塵性を改善し得る面光源装置及び液晶表示装置に関するものである。
【背景技術】
【０００２】
面光源装置には、光源の配置位置により直下型とサイドライト型とあるが、本発明では一般的に多く用いられているサイドライト型面光源装置を用いて説明する。図３は、従来のサイドライト型面光源装置の基本構造を示す分解斜視図、図４は図３の矢視Ａ方向から見た断面図である。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）に固定されている。
【０００３】
５はケースで、ケース５の底部に反射部材２を配置し、該反射部材２の上に導光板３が配置されている。該導光板３の光入射面側には光源１が配置され、該導光板３の光出射面側には光学部材４が配置されている。６は開口部発光エリア９を有するシャーシで、導光板３の光出射面側に前記開口部発光エリア９を対応させて被せられ、前記開口部発光エリア９の光出射面側周縁部位に防塵部材１０が配置され、サイドライト型面光源装置が構成されている。
【０００４】
前記反射部材２はシート状に形成されたもので、高反射率を有する部材であり、例えば、ポリエステルやポリオレフィンあるいは樹脂シートに銀等の金属粒子を蒸着したものである。
【０００５】
前記光学部材４は数種のシート状部材が積層されたもので、図３および図４においては、導光板３の光出射面上に下から拡散シート、縦プリズムシート、横プリズムシートの順に積層され配置されている。
【０００６】
前記防塵部材１０は枠状に形成されたもので、防塵性・衝撃吸収性を有する部材である。前記防塵部材１０は、例えば、発泡性ゴムや発泡性ポリウレタンまたはシリコン系ゴムなどを所望の形状に加工したものである。
【０００７】
このように液晶表示装置と面光源装置の間に防塵性・衝撃吸収性を有するリング状防塵部材を用いるのは公知である（例えば、特許文献１、２参照）。
【０００８】
【特許文献１】特開平６−１１７１８号公報
【特許文献２】特開平９−３１８９５２号公報
【発明の開示】
【発明が解決しようとする課題】
【０００９】
背景技術に示すサイドライト型面光源装置は、開口部発光エリア９において、外部からゴミや埃などの異物が侵入し易い為にキズや汚れが付き易く、前記面光源装置の表示品質や輝度を低下させる要因になるという問題があった。
【００１０】
また、前述の問題を解決する為に、面光源装置の製造最終工程において、防塵部材１０の上面部もしくは防塵部材１０の枠内で前記開口部発光エリア９の光出射面側周縁部位などに別部品である保護フィルム１２を設けたとしても、製造途中工程でのゴミや埃などの異物の侵入を防ぐことができず、前述のような問題が発生していた。特にこの場合は、前記保護フィルム１２が別部品ということによる組立性の悪化からくる作業工数増やコスト増などの問題もあった。
【００１１】
本発明の目的は、ゴミや埃などの異物の侵入を製造途中工程から防いで防塵性を高めることで、長期使用に対して異物による汚れやキズを防止して、面光源装置の見栄えなどの表示品質や輝度値を低下させないことを目的とする。
【００１２】
さらに、本発明の別の目的は、このような目的を達成する構造や製造方法が簡易で、製造コストの安い面光源装置を提供することにある。
【課題を解決するための手段】
【００１３】
液晶表示装置の背面に配置され、面状の光を発光する面光源装置（バックライト）において、前記面光源装置の開口部発光エリアを保護するフィルム（セパレータ）と一体となった枠状の防塵部材を設けた面光源装置とする。
【００１４】
少なくとも、光入射面と、該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には一端を開口部発光エリアを保護するフィルムと一体化（貼着）し、他端を前記シャーシに貼着する枠状の防塵部材を設けた面光源装置とする。
【００１５】
少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には一端を保護フィルムと一体化し、他端を前記シャーシに貼着する防塵部材を設けた面光源装置を用いるか、前記保護フィルを剥離した防塵部材面を液晶表示装置に貼着した液晶表示装置とする。
【発明の効果】
【００１６】
一端を光出射面側の開口部発光エリアを保護するフィルムと一体化（貼着）した枠状の防塵部材を設け、他端をシャーシに貼着することにより前記防塵部材の枠内部が密封され、防塵部材を貼着後は製造工程の途中からでも外部からのゴミや埃などの異物の侵入を防止でき、面光源装置の表示品質と輝度値の低下を防止することができる。
【００１７】
また、前記保護フィルムと前記枠状の防塵部材が予め一体化されているので、取付作業を一度に行うことができるとともに、これまではピンセットなどを用いて防塵部材をシャーシに貼り付けていた作業を、前記保護フィルムのタブを指でつまみながら防塵部材と一緒に貼り付けることが可能になり、取り扱いが容易となって組立作業における作業性を向上させることができる。
液晶表示装置と面光源装置を組み立てる際に保護フィルムを剥離する場合でも、その工程までに開口部発光エリアにゴミや埃などの侵入を防止できる。
【００１８】
また、前記保護フィルムと前記枠状の防塵部材が一体化された部品であるので、部品点数の削減や作業工数の削減からくる管理コストの軽減効果がある。
（外部で一体化したからといって、トータルでの部品削減や工数削減にはならない。）
【発明を実施するための最良の形態】
【００１９】
少なくとも、光入射面と、該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの光出射面側には一端を開口部発光エリアを保護するフィルムと一体化（貼着）し、他端を前記シャーシに貼着する枠状の防塵部材を設けた面光源装置とする。
【実施例１】
【００２０】
図１は、本発明の第一実施例で、サイドライト型面光源装置を示す分解斜視図である。図２は、図１の矢視Ａ方向から見た断面図である。従来の構成と同様の部分については同一の符号を用いて説明する（以下、同様）。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）側に固定されている。
【００２１】
５はケースで、ケース５の底部に反射部材２を配置し、該反射部材２の上に導光板３が配置されている。反射部材２はシート状の部材で、例えば、ポリエステルやポリオレフィンあるいは樹脂シートに銀等の金属粒子を蒸着したものである。前記導光板３の光入射面側には光源１が配置され、該導光板３の光出射面側には光学部材４が配置されている。該光学部材４は、例えば、導光板３の光出射面側から拡散シート、縦プリズムシート、横プリズムシートの順に各シート状部材が積層されて成るものである。６は開口部発光エリア９を有するシャーシで、導光板３の光出射面側に前記開口部発光エリア９を対応させて被せられ、前記開口部発光エリア９の光出射面側周縁部位に防塵部材１１が配置され、サイドライト型面光源装置が構成されている。該防塵部材１１は、例えば、発泡性ゴムや発泡性ポリウレタンまたはシリコン系ゴムなどを矩形枠状（本実施例では矩形であるが、本発明は枠の形状には関係なく適用できるものである。以下同じ）に形成し、保護フィルム１１ａを貼り付けて一体化したものである。
【００２２】
前記構成のサイドライト型面光源装置において、光源１から出射された光は、反射部材２で上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、液晶表示装置と面光源装置との間に配置された防塵部材１１により、耐振動性や水平方向からの異物を防ぐことになる。また、防塵部材１１と一体化された保護フィルム１１ａにより、鉛直方向からの異物の侵入を防ぐことにもなる。これらの防塵効果により、面光源装置の表示品質と輝度値の低下を防止することができる。
【００２３】
前記保護フィルム１１ａと一体に形成された防塵部材１１とは、発泡性ゴムや発泡性ウレタンまたはシリコン系ゴムなどの素地に微粘着部をもつ透明のポリエチレンなどの前記保護フィルム１１ａなどを被せた物であり、該保護フィルム１１ａにより、従来製造途中工程で防塵部材１１の枠内側まで侵入していたゴミや埃などの異物を防ぐことで、開口部発光エリア９内で光学部材４上面にまで達して付着してしまうような異物を大幅に減らせる利点がある。また、前記保護フィルム１１ａはタブ１１ｂを有することで、作業者が前記タブ１１ｂを指でつまみながら一体となった防塵部材１１を所定の位置に配置しやすくなり、組み立ての作業性を高めることができる。                    
【図面の簡単な説明】
【００２４】
【図１】本発明の防塵構造を有する面光源装置を示す分解斜視図（実施例１）
【図２】図１の矢視Ａ方向から見た断面図（実施例１）
【図３】従来のサイドライト型面光源装置の基本構造を示す分解斜視図
【図４】図３の矢視Ａ方向から見た断面図
【符号の説明】
【００２５】
１      光源
２      反射部材
３      導光板
４      光学部材
５      ケース
６      シャーシ
７      両面テープ
８      フレキシブル基板
９      開口部発光エリア
１０      防塵部材
１１      保護フィルムと一体化した防塵部材
１１ａ    保護フィルム
１１ｂ    タブ
１２      保護フィルム（別部品）
【図１】
2006228523.tif 000003
【図２】
2006228523.tif 000004
【図３】
2006228523.tif 000005
【図４】
2006228523.tif 000006